(57)【特許請求の範囲】
【請求項１】
踏み面を広くするために、ステップ用のパイプの断面形状をＤ型に形成して、前記ステップの平坦面を踏み面にしたとともに、
柱の側面でその上部から下に向かって所要の範囲において、爪付きフックが着脱自在に固定できるように、フック用の取付孔が適宜間隔で柱に設けられ、
前記爪付きフックは、前記柱に挿通させる大きさ・形状のフック固定部と、該フック固定部に固着される支持部と、該支持部の先に形成されるフック部と、該フック部に固定される係止爪とで構成され、
前記支持部は、当該同形状の支持部を使用して両爪付きフックが柱に装着された場合に両方のフック部が当該柱の外側に飛び出さないで前記柱の内側になるようにすべく、いずれか一方の支持部のフック固定部に対する固着側を反対にして前記フック固定部に固着されていること、
を特徴とする昇降用タラップ。
【発明の詳細な説明】
【技術分野】
【０００１】
本発明は、例えば、建設現場の作業用足場等に使用される昇降用タラップに関するものである。
【背景技術】
【０００２】
従来、昇降用タラップとしては、従来例１として、エレベータの昇降路内における作業を安全かつ簡便に利用することができるように、ガードレールの左右側にタラップを千鳥配置しワイヤーでそれぞれ連結し、ワイヤーは昇降路壁に取り付けられた滑車部を介して両端を昇降路底部に設置されたワイヤー掛止部で保持されている。各タラップは、足場台と、足場台を固定する回動用シャフトと、ガイドレールと係合する止め板と、タラップとワイヤーを連結する固定クリップと、を一体成形し、また回動用シャフトを回動可能にガイドレールに固定する受け台を有するとともに、タラップ未使用時にはワイヤーに張力を与え、固定クリップを下に引っ張ることで、足場台を持ち上げた状態に保持し、タラップ使用時にはワイヤーに張力を与えなくすることにより足場台を水平方向に倒し止め板で係止するものが知られている（特許文献１参照）。
【０００３】
また、従来例２として、アオリを備えた無蓋型の貨物トラックに装備する昇降用タラップ装置であって、垂下状態のアオリより下に位置する水平支持枠と、当該水平支持枠に対してスライド可能で、且つ、上下に重なるように収納された上部及び下部タラップ本体と、当該タラップ本体のそれぞれに枢着された上部及び下部梯子体からなるものが知られている（特許文献２参照）。
【先行技術文献】
【特許文献】
【０００４】
【特許文献１】特開平０８−１０８９８２号公報
【特許文献２】特開２００３−３１２３６６号公報
【発明の概要】
【発明が解決しようとする課題】
【０００５】
しかし、従来の昇降用タラップでは、例えば、上記従来例１のタラップは、エレベータ昇降路における点検用のタラップであって、その構造が複雑となり、各タラップは、足場台と、回動用シャフトと、止め板と、固定クリップとを一体成形するなど、その製作コストにおいても費用が嵩むものである。また、上記従来例２においては、アオリを備えた無蓋型の貨物トラックに限定されるタラップであり、足場等に使用する汎用的なタラップではない。従来の一般的な梯子状のタラップは、ステップの部分が丸型（O型）になっているので、特に雨の日などで濡れている場合には滑りやすく危険である。
【０００６】
また、ステップの接合方法は、突き付けすみ肉溶接で、溶接部の破断した場合には当該ステップが脱落するおそれがある。更に、安全ブロックの取付けは専用の金具はなく、ステップに直接取付けるので、作業員の邪魔になるという課題がある。本発明に係る昇降用タラップは、このような課題を解決するために提案されたものである。
【課題を解決するための手段】
【０００７】
発明に係る昇降用タラップの上記課題を解決して目的を達成するための要旨は、踏み面を広くするために、ステップ用のパイプの断面形状をＤ型に形成して、前記ステップの平坦面を踏み面にしたとともに、柱の側面でその上部から下に向かって所要の範囲において、爪付きフックが着脱自在に固定できるように、フック用の取付孔が適宜間隔で柱に設けられ、
前記爪付きフックは、前記柱に挿通させる大きさ・形状のフック固定部と、該フック固定部に固着される支持部と、該支持部の先に形成されるフック部と、該フック部に固定される係止爪とで構成され、
前記支持部は、当該同形状の支持部を使用して両爪付きフックが柱に装着された場合に両方のフック部が当該柱の外側に飛び出さないで前記柱の内側になるようにすべく、いずれか一方の支持部のフック固定部に対する固着側を反対にして前記フック固定部に固着されていることである。
【発明の効果】
【００１０】
本発明の昇降用タラップによれば、踏み面が平坦面となるので、作業者が上りやすく安全性の向上となる。また、ステップのパイプがその両端部で柱の内部空間部に孔から貫通させて固定されているので、溶接の破断による脱落を防止できて、安全性が向上する。また、前記パイプの両端部を溶接する場合にも全周縁部に亘って溶接するのではなく、複数箇所に点溶接するだけで済むようになり、溶接の作業性が向上する。
更に、安全ブロック取付金具が柱の上部に固定されているので、作業者の昇降の邪魔に成らず、手間が掛からず、取付金具の強度も向上する。
また、前記フックが固定される、柱の側面でその上部から下に向かって所要の範囲には、ステップ用のパイプが架設されていないので、軽量化及び製作コストの低減になるとともに、作業者の移動の邪魔にならないなど、数々の優れた効果を奏するものである。
更に、爪付きフックは、現場での使用状態においても、トラック等による搬送や倉庫に保管する場合においても、フック部が外側に飛び出すことがないので取り扱いやすくなる。
【図面の簡単な説明】
【００１１】
【図１】本発明に係る昇降用タラップ１の使用状態の正面図（Ａ）と、その側面図（Ｂ）とである。
【図２−Ａ】同本発明の昇降用タラップ１の正面図（Ａ）、底面図（Ｂ）、側面図（Ｃ）、柱４の側面図（Ｄ）である。
【図２−Ｂ】昇降用タラップ１におけるパイプ２の正面図（Ａ）と側面図（Ｂ）とである。
【図３】同本発明に係る昇降用タラップ１における柱とパイプとの接合部を示す拡大側面図（Ａ）と平面図（Ｂ）とである。
【図４】同安全ブロック取付金具６の正面図（Ａ），背面図（Ｂ），側面図（Ｃ）である。
【図５】同爪付きフック８の形状を拡大して示す、正面図（Ａ），平面図（Ｂ），側面図（Ｃ），正面図（Ｄ），平面図（Ｅ），側面図（Ｆ）である。
【図６−Ａ】本発明に係る昇降用タラップ１のフック部の拡大斜視図である。
【図６−Ｂ】本発明に係る昇降用タラップ１の上部の斜視図である。
【図７】本発明に係る昇降用タラップ１，１ａで、長さが４．５ｍタイプと３．０ｍタイプとの２種類を並べて示す斜視図である。
【図８】本発明に係る昇降用タラップ１と従来例に係る昇降用タラップ１３を並べて示す斜視図である。
【発明を実施するための形態】
【００１２】
本発明に係る昇降用タラップ１は、図１（Ａ）に示すように、単管足場１０の昇降口に立て掛けられるものであって、ステップ用のパイプ２の断面形状をＤ型に形成して、前記ステップ用パイプ２の平坦面を踏み面３にする。
【実施例１】
【００１３】
本発明に係る昇降用タラップ１は、図２−Ａ（Ａ）に示すように、一例としてその全長が４．５ｍ程度で幅が約４２ｃｍ程度である。そして、そのステップ２の踏み面３を広くするために、ステップ用のパイプ２で丸形の断面形状をＤ型に形成して、形成された当該平坦面を踏み面３にしたものである。その形成方法は、図２−Ｂ（Ａ）に示すように、金型にパイプ２をセットして、両端部２ａ，２ｂの一部を残して、パイプ中心方向に所望寸法で押し潰すことで行われる。
【００１４】
前記パイプ２と該パイプ２を架設して固定する、断面が四角形状で内部が空間となっていて、対向した一対の柱４，５との接合構造は、図３（Ａ），（Ｂ）に示すように、前記一対の柱４，５の側壁で対向面４ａ，５ａに、前記パイプ用の孔４ｂ，５ｂを内部空間に貫通させて穿設してある。
【００１５】
そして、前記孔４ｂ，５ｂに前記パイプ２の端部２ａ，２ｂを前記柱４，５の内部空間に貫通させて挿通すると共に、前記孔４ｂ，５ｂの周縁部と前記挿通させたパイプ２の外周部とを溶接してなる構造である。前記パイプ２の上下方向のピッチは約３５０ｍｍ程度である。
【００１６】
前記パイプ２の両端部２ａ，２ｂを柱の孔４ｂ，５ｂに差し込んで固定することで、溶接不良や劣化があった場合でもステップの脱落防止になる。従来のステップにおいて突き付けによる溶接の場合に起こる不具合を解消できるものである。
【００１７】
また、図２−Ａ（Ａ），（Ｃ）に示すように、前記柱４，５の上部に、安全ブロック取付金具６が固定されている。これは、作業員を落下の危険から防止する安全ブロック７を引っかけるためのものである。前記安全ブロック取付金具６は、図４に示すように、フック用の孔６ｄが設けられた馬蹄形の取付金具６ａを固着した取付ブロック６ｂと、両端の取付ブロック６ｂ，６ｂを前記タラップ１の柱４，５と同じ間隔で連結する連結棒６ｃと、から構成されている。
【００１８】
前記取付ブロック６ｂは、タラップ１の柱４，５の上部に嵌合されるものである。図２−Ａでは、柱４に着脱自在に取り付けられる取付ブロック６ｂの側面に、ボルト１１挿通用の孔６ｅが２カ所に設けられている。これは、柱４側に取り付けていた、前記取付金具６ａが固着された取付ブロック６ｂを反対側にトンボ返しさせた場合に、柱５側の孔５ｂに他方の孔６ｅが位置合わせされ、ボルト１１を挿通できるようにしたものである。
【００１９】
更に、柱４，５の側面でその上部から下に向かって所要の範囲９において、フック８用の取付孔４ｃ，５ｃが適宜間隔で柱４，５内外に貫通して設けられ、当該取付孔４ｃ，５ｃに爪付きフック８がボルト・ナットで着脱自在に固定されている。
【００２０】
前記爪付きフック８は、図５（Ａ）〜（Ｆ）に示すように、前記柱４，５に挿通させる大きさ・形状のフック固定部８ａと、該フック固定部８ａに固着された支持部８ｂと、その支持部８ｂの先に一体形成されるフック部８ｃと、該フック部８ｃにボルト・ナットで固定される係止爪８ｄとで構成されている。
【００２１】
図５（Ｄ）〜（Ｆ）に示す爪付きフック８は、フック固定部８ａに対して支持部８ｂの固着側が、図５（Ｃ）と反対側になっている。これは、同じ形状の支持部８ｂを使用して、両爪付きフック８をそれぞれ柱４，５に装着した場合に、両方のフック部８ｃが柱４，５の内側になるようにするためである。それにより、現場での使用状態においても、トラック等による搬送や倉庫に保管する場合においても、前記フック部８ｃが外側に飛び出すことがないので取り扱いやすくなる。
【００２２】
また、前記フック８が固定される、柱４，５の側面でその上部から下に向かって所要の範囲９には、図６−Ａ，図６−Ｂに示すように、ステップ用のパイプ２が架設されていない。これは、作業員の出入りのため、邪魔にならないようにするためである。なお、柱４，５の下には、図２−Ａ（Ａ）〜（Ｃ）に示すように、滑り止め用のゴム足１２の一部が、柱４，５の内部空間に嵌装されている。また、柱４，５の上部の内部空間には、保護用のゴム足１２の一部が嵌装されている。
【００２３】
以上のようにして構成される昇降用タラップ１，１ａは、図７に示すように、構成されて、図１に示すように現場の単管足場１０における単管手すりにフック８でしっかりと繋着されて、作業者の昇降に使用されるものである。
【産業上の利用可能性】
【００２４】
本発明に係る昇降用タラップは、単管足場１０や枠組足場等に使用するだけに限らず、斜めに立て掛けて通常の梯子のように使用することもできる。
【符号の説明】
【００２５】
１        昇降用タラップ（長タイプ）、  １ａ    昇降用タラップ（短タイプ）、  
２        パイプ、                      ２ａ，２ｂ        端部、
３        踏み面、
４        柱、                          ４ａ              対向面、
４ｂ      孔、                          ４ｃ              取付孔、  
５        柱、                          ５ａ              対向面、  
５ｂ      孔、                          ５ｃ              取付孔、
６        安全ブロック取付金具、        ６ａ              取付金具、
６ｂ      取付ブロック、                ６ｃ              連結棒、
６ｄ      孔、                          ６ｅ              孔、
７        安全ブロック、
８        爪付きフック、                ８ａ              フック固定部、
８ｂ      支持部、                      ８ｃ              フック部、
８ｄ      係止爪、        
９        所要の範囲、
１０      単管足場、
１１      ボルト、  
１２      ゴム足、
１３      従来の昇降用タラップ。
【図１】
0005636270.tif 000002
【図２−Ａ】
0005636270.tif 000003
【図２−Ｂ】
0005636270.tif 000004
【図３】
0005636270.tif 000005
【図４】
0005636270.tif 000006
【図５】
0005636270.tif 000007
【図６−Ａ】
0005636270.tif 000008
【図６−Ｂ】
0005636270.tif 000009
【図７】
0005636270.tif 000010
【図８】
0005636270.tif 000011